(57)【要約】  供給管(3)と、処理タンク(4)と、排出管(9)と、調節器(13)と、前記供給管(3)を排出管(9)に接続するバイパス(22)と、を備えた水を処理する装置であって、  主流路(2)が、調節器(13)のそれぞれの側に、遮断弁(12、14)を備え、  装置(1)が、第一の遮断弁(12)と調節器(13)とを迂回する第一の分流路(18)を有し、また装置(1)が、前記調節器(13)と第二の遮断弁(14)とを迂回する第二の分流路(20)を有し、  ここで、両分流路(18、20)が、遮断弁(19、21)を有し、  またここで、遮断弁(12、14)が、処理段階において、調節器(13)の両側において、開放され、またここで、他の遮断弁(19、21)が、洗浄または再生段階において、開放される、ことを特徴とする水を処理する装置。【選択図】      図１
2008523985.tif 000002
【特許請求の範囲】
【請求項１】
水を処理する装置であって、
主として、処理すべき水のための供給管(3)から成る主流路(2)と、
処理剤(5)を備えた処理タンク(4)と、
供給管(3)を処理タンク(4)の入口(7)に接続する、弁(8)を備えた管(6)と、
排出管(9)と、
処理タンク(4)の出口(11)を前記排出管(9)に接続する管(10)と、
調節器(13)と、
を有し、また、
弁(23)を備えた、前記供給管(3)を排出管(9)に接続するバイパス(22)をも備えている、
水を処理する装置(1)において、
主流路(2)が、調節器(13)のそれぞれの側に配置された第一の遮断弁(12)と第二の遮断弁(14)を備え、
装置(1)が、前記第一の遮断弁(12)と調節器(13)とを迂回する第一の分流路(18)を有し、また装置(1)が、前記調節器(13)と第二の遮断弁(14)とを迂回する第二の分流路(20)を有し、
ここで、第一の分流路(18)と第二の分流路(20)とが、それぞれ、遮断弁(19、21)を有し、
またここで、第一および第二の遮断弁(12、14)が、処理段階においては、開放され、洗浄または再生段階においては、閉鎖され、
またここで、他の遮断弁(19および21)が、洗浄または再生段階においては、開放され、処理段階においては、閉鎖される、
ことを特徴とする水を処理する装置(1)。
【請求項２】
当該遮断弁(12、14、19、および21)が、逆止め弁であることを特徴とする請求項１に記載の装置。
【請求項３】
当該主流路(2)に、主流路(2)を下水設備(16)に接続する管(15)が備えられ、該管(15)が弁(17)を備えていることを特徴とする請求項１に記載の装置。
【請求項４】
調節器(13)が体積計(24)から成り、該体積計が、伝動装置(25)によってプログラムディスク(26)を駆動することを特徴とする請求項１に記載の装置。
【請求項５】
調節器(13)が制御回路(27)と協働し、それによって、当該弁(8、17、および23)の制御が可能になることを特徴とする請求項４に記載の装置。
【請求項６】
主流路(2)の弁(8)の位置が、常に、下水設備(16)に向う管(15)およびバイパス(22)の弁(17および23)の位置と逆であることを特徴とする請求項５に記載の装置。
【請求項７】
当該弁(8、17、および23)が互いに機械的に連結されていることを特徴とする請求項６に記載の装置。
【請求項８】
主流路(2)の弁(8)が逆止め弁であり、該弁は、その本体(46)の背面側(49)において、圧力室(51)と協働し、また、バイパス(22)の弁(23)に、その背面側に圧縮ばね(57)が備えられ、その閉鎖側(55)にロッド(48)が備えられ、該閉鎖側(55)が弁(8)の閉鎖側と協働できることを特徴とする請求項７に記載の装置。
【請求項９】
管(15)の弁(17)が、弁(8)の本体(46)のくぼみ(52)とシールリング(54)とから成り、該リングが、弁(8)が開いているとき、前記くぼみ(52)を覆って主流路(2)内に広がり、その結果、管(15)の弁(17)が閉じられることを特徴とする請求項８に記載の装置。
【請求項１０】
当該調節器(13)と遮断弁(12および14)とが、処理タンク(4)の出口(11)を排出管(9)に接続する管(10)に配置されていることを特徴とする請求項１に記載の装置。
【請求項１１】
当該調節器(13)と第二の遮断弁(14)とを迂回する第三の分流路(28)を有し、該分流路が、第二の遮断弁(14)における流れと同じ向きの流れを可能にする遮断弁(29)を備えていることを特徴とする請求項９に記載の装置。
【請求項１２】
第三の分流路(28)の遮断弁(29)が抵抗調節可能な逆止め弁であることを特徴とする請求項１１に記載の装置。
【請求項１３】
当該第一の分流路(18)を迂回する食塩水管(31)を有し、該食塩水管が、遮断弁(32)と、食塩水溜め(34)と協働する放出器(33)と、を備えていることを特徴とする請求項１に記載の装置。
【請求項１４】
水を処理する方法であって、主として、
処理段階と洗浄または再生段階とから成り、水が処理タンク(4)と調節器(13)とを通して送られるような方法において、
処理段階においても、洗浄または再生段階においても、水が調節器(13)を通って同じ向きに流れること、
を特徴とする方法。
【請求項１５】
処理段階において、処理タンク(4)を流れる水の一部が、調節器(13)を通して導かれ、他の部分が、前記調節器(13)を迂回する、調節可能な遮断弁(29)を備えた分流路(28)を通して導かれることを特徴とする請求項１４に記載の方法。
【発明の詳細な説明】
【技術分野】
【０００１】
本発明は、水を処理する装置に関する。より詳しくは、たとえば硬水軟化剤、イオン交換体、その他によって、定期的に洗浄または再生される処理剤を使用するタイプのものに関する。
【背景技術】
【０００２】
公知のように、水を処理する前記装置は、処理剤を定期的に洗浄または再生することを可能にする調節器を有している。
【０００３】
そのような公知の装置は、主として処理すべき水のための供給管から成る主流路、処理剤を備えた処理タンク、供給管を処理タンクの入口に接続する、弁を備えた管であって、該弁がこの管の開閉を可能にする管、排出管、および、処理タンクの出口を前記排出管に接続する管、を有し、該管は、前記およびその他の弁の接続を可能にする調節器を備えている。
【０００４】
さらに、前記の公知の装置は、前記供給管を前記排出管に接続するバイパスと処理タンクの入口を下水設備に接続する管とを有している。前記バイパスおよび下水設備に接続する管は、この場合、調節器によって制御される弁を備えている。
【０００５】
この公知の装置においては、前記調節器は、体積計から成り、該体積計は、二つのプログラムディスク、具体的には、水が処理されている処理段階を制御するための一つのプログラムディスク、および再生段階を制御する一つのプログラムディスクを駆動する。
【０００６】
処理段階においては、処理すべき水は、供給管から処理タンクと調節器とを通って排出管に流れ、このとき、前記体積計は、当該プログラムディスクを駆動して、供給管と処理タンクの入口との間にある弁が開放されたままになるようにし、一方、バイパスと下水設備に接続する管とにある弁が閉鎖位置に保たれるようにする。
【０００７】
装置が再生段階に切換えられると、前記弁の位置が逆になり、水がバイパスを通って、排出管に流れる。
【０００８】
このとき、少量の水が排出管から排出されて、体積計と処理タンクとを通して逆向きに下水設備に送られ、処理剤が洗浄される。
【０００９】
この公知の装置の欠点は、水が体積計内を二つの向きに通過するので、少なくとも二つの異なるプログラムディスクを調節器内に備える必要があり、この調節器の構造がかなり複雑になる、ということである。
【００１０】
したがって、多くの場合、そのような調節器は、リセット手段を備えた少なくとも一つのプログラムディスクを備える必要がある。このリセット手段は、当該プログラムが完了したあと、新たなサイクルを開始する前に、当該プログラムディスクをもとの位置に再設定することを可能にする。
【００１１】
もう一つの欠点は、二つの反対向きの測定ができなければならない体積計は、一方向きだけに回転し続けるように設計された体積計に比して不正確である、ということである。
【発明の開示】
【発明が解決しようとする課題】
【００１２】
本発明の目的は、前記およびその他の欠点を克服することである。
【課題を解決するための手段】
【００１３】
この目的のために、本発明は、
水を処理する装置であって、
主として、処理すべき水のための供給管から成る主流路と、
処理剤を備えた処理タンクと、
供給管を処理タンクの入口に接続する、弁を備えた管と、
排出管と、
処理タンクの出口を前記排出管に接続する管と、
調節器と、
を有し、また、
弁を備えた、前記供給管を排出管に接続するバイパスをも備えている、
水を処理する装置において、
主流路が、調節器のそれぞれの側に配置された第一の遮断弁と第二の遮断弁を備え、
装置が、前記第一の遮断弁と調節器とを迂回する第一の分流路を有し、また装置が、前記調節器と第二の遮断弁とを迂回する第二の分流路を有し、
ここで、第一の分流路と第二の分流路とが、それぞれ、遮断弁を有し、
またここで、第一および第二の遮断弁が、処理段階においては、開放され、再生段階においては、閉鎖され、
またここで、他の遮断弁が、再生段階または洗浄段階においては、開放され、処理段階においては、閉鎖される、
ことを特徴とする水を処理する装置、
に関する。
【００１４】
本発明による前記装置の利点は、水が常に同一の向きに調節器を流れるということである。
【００１５】
本発明のもう一つの利点は、割合に正確な調節器を使用することができ、したがって処理された水の質を常に最適のものとすることができるということである。
【００１６】
本発明は、また、
水を処理する方法であって、主として、
処理段階と洗浄または再生段階とから成り、水が処理タンクと調節器とを通して送られるような方法において、
処理段階においても、洗浄または再生段階においても、水が調節器を通って同じ向きに流れること、
を特徴とする方法、
にも関する。
【００１７】
好ましくは、処理段階において、処理タンクを流れる水の一部が、調節器を通して導かれ、他の部分が、前記調節器を迂回する、調節可能な遮断弁を備えた分流路を通して導かれる。
【００１８】
本発明によるこの方法の利点は、処理段階において調節器を流れる水の体積を、たとえば処理すべき水の硬度に応じて調節することができ、したがって、処理段階において、処理すべき水の体積を、迅速かつ簡単なやり方で、最適なものに調節できる、ということである。
【発明を実施するための最良の形態】
【００１９】
以下、本発明の特徴をより良く説明するために、添付の図面を参照しつつ、単なる例として、本発明の水を処理する装置の好ましい実施形態について、説明する。
【００２０】
図１および２には、模式的に、本発明の装置1を示す。この装置は、処理すべき水のための供給管3から主として成る主流路2、処理剤5を備えた処理タンク4、供給管3を処理タンク4の入口7に接続する、弁8を備えた管6、排出管9、排出管9を処理タンク4の出口11に接続する管10から成り、管10は、第一の遮断弁12、調節器13、および第二の遮断弁14を備えている。
【００２１】
管15は、処理タンク4の前記入口7を下水設備16に接続し、また弁17を備えている。
【００２２】
前記第一の遮断弁12と調節器13とは、分流路18によって迂回され、該分流路は、その両端において、前記管10に接続されており、また該分流路は遮断弁19を有している。
【００２３】
第二の分流路20は、前記調節器13と第二の遮断弁14とを迂回し、ここで、この分流路20は、その両端で、管10および排出管9に接続されている。
【００２４】
後者の分流路20は、遮断弁21を備えている。
【００２５】
弁23を備えたバイパス22が、供給管3を排出管9に接続している。
【００２６】
この場合、前記調節器13は、主として、体積計24から成り、この体積計は、伝動装置25によって、プログラムディスク26を駆動し、前記伝動装置は、サーボ弁S1およびS2によって、破線で模式的に示す制御回路27と協働する。この制御回路は、前記弁8、17、および23を制御することを可能にする。
【００２７】
制御回路27は、この場合、液圧で作動し、管のネットワークから成る。このネットワークは、前記プログラムディスクの位置に応じて、圧力下におくことができ、またそうでないようにすることができる。
【００２８】
また、前記遮断弁12、14、19、および21は、調節器13によって制御することができ、この場合、遮断弁12および14は、常に、遮断弁19および21の位置と反対の位置に配置される。
【００２９】
本発明の前記装置1の動作は、簡単であり、下記のようである。
【００３０】
水を処理するために、弁8は前記制御回路27によって開放され、該回路は、調節器13内の前記プログラムディスク26、および該プログラムディスクと協働するサーボ弁S1によって制御される。このとき、弁17および23は閉鎖されている。
【００３１】
ここで、主流路2の遮断弁12および14も、開放されており、一方、分流路18および20の遮断弁19および21は、閉鎖されている。
【００３２】
弁8、17、および23がこの位置にあるとき、処理すべき水は、供給管3から管6を通り、開放された弁8を通って、処理タンク4に流れ、該タンクにおいて、処理すべき水が処理剤5に接触する。
【００３３】
水は、処理タンク4の出口11から、遮断弁12、調節器13、および遮断弁14を通って、排出管9に流れる。排出管9は、たとえば、ユーザーネットワークに接続されている。
【００３４】
水が調節器13を通って流れると、前記体積計24が駆動され、その結果、プログラムディスク26が回転する。このプログラムディスク26が再生位置に達すると、ただちにサーボ弁S1が開放されて、制御回路27内の圧力の信号が変わり、その結果、弁8が閉じられて、弁17および23が開放され、また、遮断弁12、14、19、および21の位置が逆になる。
【００３５】
各弁8、17、および23がこの位置にあるとき、未処理水は、供給管3からバイパス22を通って直接排出管9に流れ、このとき、未処理水の一部は、第二の分流路20を通って放出され、遮断弁21、調節器13、および第一の分流路18を通って、逆向きに処理タンク4に流れる。このようにして、処理剤が洗浄され、そのあと、水は下水設備16を通って排出される。
【００３６】
本発明においては、図２から明らかなように、前記再生または洗浄段階において、水は、調節器13内を処理段階におけると同じ向きに流れる。
【００３７】
この再生段階において、調節器13したがって体積計24内を、同じ向きに水が流れるので、プログラムディスク26は同じ向きの回転を続け、再生段階が完了すると、該ディスクはふたたび処理段階にはいり、前記サイクルが再スタートする。
【００３８】
注意すべきことは、各遮断弁12、14、19、および21は、好ましくは逆止め弁であり、このとき、逆止め弁12および14は、排出管9に向う向きの流れを可能とし、一方、逆止め弁19および21は、前記逆止め弁12および14における流れと逆向きの流れを可能にする、ということである。
【００３９】
ここで、逆止め弁12、14、19、および21の使用によって与えられる利点は、これらを制御回路によって制御しなくても良く、その結果、装置1は、逆止め弁が使用されない場合に比して、やや簡単なものとすることができる、ということである。
【００４０】
図３および４は、本発明の装置の変形を示し、該変形には、第三の分流路28が備えられ、該分流路は、前記調節器13と遮断弁14を迂回し、その両端において、管10と排出管9に接続されている。
【００４１】
この第三の分流路28は、この場合、遮断弁29を有し、この遮断弁は、管10から排出管9への流れを許容する調節可能な抵抗を有している。
【００４２】
この変形においては、処理段階において、処理済み水の一部を、調節器13を迂回して排出管9に流すことができ、このとき、この一部の体積を、第三の分流路28の前記遮断弁29の抵抗を設定することにより、調節することができる。
【００４３】
処理済み水の一部を分流させることの利点は、処理段階において処理タンク4を流れる水の体積を、遮断弁29の抵抗を減少または増大させるという簡単なやり方で調節できる、ということである。
【００４４】
実際、遮断弁29の抵抗が減少すると、調節器13を流れる水の割合が小さくなり、その結果、プログラムディスク26は、処理タンクを流れる水量が同じ場合、ゆっくり回転することになる。
【００４５】
したがって、装置がたとえばフィルターである場合、分流して調節器13を迂回する処理済み水の割合を、未処理水の純度の関数として選択することができ、ここで、処理すべき水が多くの不純物を含む場合、分流の割合を比較的に小さくし、一方、処理すべき水か割合に高純度である場合、処理剤5が飽和するまでにかなり大量の水を濾過することができるので、大きな割合のものを調節器13を迂回させることができる。
【００４６】
注意すべきことは、前記第三の分流路28と該流路に備えられる調節可能な遮断弁29とは、第一の分流路18と一体化できる、ということである。これは、第一の分流路18の前記遮断弁19を、二方向の流れを可能にする、少なくとも排出管9に向う流れの向きが設定できる一つの弁で置き換えることによってなされる。
【００４７】
図５~７は、本発明のもう一つの変形を示す。この場合、第一の分流路18の前記遮断弁19が、弁30で置き換えられ、この弁30は、食塩水管31によって迂回され、該食塩水管は、その両端で前記第一の分流路18に接続され、また弁32と、食塩水溜め34と協働する放出器33とが備えられている。
【００４８】
弁30と32とはそれぞれ好ましくは制御回路35、36を備え、これらの回路はサーボ弁S1、S2と協働する。これらの弁は、調節器13の前記プログラムディスク26によって駆動される。
【００４９】
処理段階においては、この変形の動作は、図３および４に示す変形のそれと同様である。
【００５０】
この場合の再生段階は、好ましくは、次のステップから成る。すなわち、処理剤5の洗浄、処理剤5の食塩水による再生、および処理剤の再洗浄である。
【００５１】
前記制御回路35と36とにより、処理剤5の洗浄のために、第一の分流路18の弁30が開放され、食塩水管31の弁32は閉じたままに保たれる。
【００５２】
弁30と32とがこの位置にあるときには、処理剤5は逆向きの流れにより洗浄され、このとき前記プログラムディスク26が駆動される。
【００５３】
前記プログラムディスクが再生位置に達すると、信号、すなわち制御回路35および36内の圧力が変化し、その結果、弁30および32の位置が逆になり、したがって、未処理水が第一の分流路18を通って処理タンク4に流れるということがなくなり、未処理水は食塩水管31を流れる。
【００５４】
食塩水管31においては、放出器33により、食塩水溜め34から公知のやり方で食塩水が吸入され、この食塩水に未処理水が混合され、逆向きに流されて、処理剤5に接触する。
【００５５】
この食塩水処理プログラムが完了すると、プログラムディスク26は、弁30および32の位置を逆転させ、その結果、処理剤5の逆流洗浄がふたたび行われる。
【００５６】
注意すべきことは、この変形においては、分流路28は、前記弁30が処理タンクに向う向きに流れるだけでなく、排出管9に向う逆の向きにも流れるときには、省くことができる、ということである。
【００５７】
やはり注意すべきことは、放出器33と、調節器13と第二の遮断弁14との間の主流路2との間にある分流路31の部分が、制御回路27を形成することができる、ということである。
【００５８】
やはり注意すべきことは、前記実施形態においては、第一の分流路18が遮断弁12のみを迂回するだけで、調節器13は迂回しないようにすることができる、ということである。
【００５９】
その場合、処理タンク4の逆流洗浄に使用する体積は、測定されず、したがって、処理タンク4の食塩水処理に使用する水の体積の非常に正確な測定値を得ることができる、ということである。
【００６０】
図８~１３は、本発明の装置の実際的実施形態であり、装置1は、処理タンク4に着脱自在に取りつけることのできる主要部分37から成る。
【００６１】
主要部分37は、ハウジング38から成り、該ハウジングは、前記管6、10、15、および31、前記分流路18、20、および28、ならびにバイパス22を有し、さらに、これらに備えられる遮断弁、弁および放出器33、ならびに前記調節器13を有する。
【００６２】
図１０には、簡明なように、処理段階および再生段階における流れの向きを、それぞれ実線および破線で示す。
【００６３】
この実際的実施形態の場合、第二の分流路20の前記遮断弁21と、第三の分流路28の抵抗調節のできる遮断弁29とは、一体化することができる。
【００６４】
第三の分流路28の前記遮断弁29は、圧縮ばね39によって作動させられる。該ばねは、一端において、遮断弁29の閉鎖側40と協働し、他端において、ホルダー41に固定される。該ホルダーは、調節ねじ42によって、ばね39を軸方向に強めあるいは弱めに圧縮することができ、したがって遮断弁29の抵抗を調節することができる。
【００６５】
この遮断弁29の閉鎖側40には、円筒形通路43が備えられ、通路43は、通路43内を軸方向に動くことのできる玉44を収容し、また該玉44は、通路43が閉じる通路43の一端においてシール45と協働することができる。
【００６６】
この場合、前記通路43、玉44、およびシール45は、第二の分流路20の前記遮断弁21の役目を引き受ける。
【００６７】
図１１に示すように、前記弁8、17、および23は、管6および15ならびにバイパス22に機械的に連結されており、ここで弁8は常に弁17および23の位置と反対の位置にある。
【００６８】
この場合、弁8は、逆止め弁の形のものであり、該逆止め弁は、本体46から成り、該本体は、供給管3から枝分かれする管6と協働する閉鎖側47を有する。
【００６９】
この場合、弁8の閉鎖側47には、ロッド48が備えられ、この弁8の背面側49は、圧縮ばね50、および前記制御回路27の部分である圧力室51と協働することができる。
【００７０】
中間には、閉鎖側47と背面側49との間に、弁8の本体46のくぼみ52が備えられ、該くぼみの側壁53は、下水設備16に向う管15に備えられる前記弁17の一部となっている。
【００７１】
前記本体46の中間部分のまわりには、ハウジング38内に固定配置されたシールリング54が備えられ、該リングは、弁8が開放されたとき、該弁から前記くぼみ52の前面まで延びて、弁17を閉鎖する。
【００７２】
弁23は、バイパス22と協働する閉鎖側55を有し、ここでバイパス22は供給管3から枝分かれする。
【００７３】
この弁23の閉鎖側55には、前記ロッド48の自由端が取りつけられている。
【００７４】
図１３には、弁32が、閉鎖位置にある逆止め弁として示されている。このとき、処理タンク4からやってくる水は、放出器33を通過することができない。この場合、この逆止め弁の制御は必要がない。
【００７５】
明らかに、逆止め弁32は、弁30が開放されたとき、たとえば逆止め弁32の機械的な止めによって、この逆止め弁32が閉鎖位置のままになるように、設定しなければならない。
【００７６】
前記機械的連結弁8、17、および23の動作は、割合に簡単で、下記のようである。
【００７７】
この場合液圧回路である制御回路27の一部の圧力室51に圧力が蓄積されると、弁8は閉鎖位置に押され、それによって、前記弁8の本体46のくぼみ52が、シールリング54に対して移動し、その結果、弁17が開放位置に配置される。
【００７８】
弁8が閉じると、弁23のロッド48が軸方向に動き、その結果、弁23が開放位置に配置される。
【００７９】
圧力室51の圧力が解除されると、小さな流路56を通る排出管への小さな漏れ流により、ロッド48上の弁8の圧力が解除され、その結果、供給管3にやってくる水の圧力により、弁23が閉鎖位置に配置され、シールリング54が前記くぼみ52したがって弁17をシールする。
【００８０】
本発明は、添付の図面に示した前記実施形態のみに限定されるものではなく、逆に、水を処理する本発明の装置は、本発明の範囲を逸脱することなく、いろいろな変形により具体化することができる。
【図面の簡単な説明】
【００８１】
【図１】水処理段階にある、本発明の装置を模式的に示す図である。
【図２】図１のものと同じ装置であるが、再生段階にあるものを示す図である。
【図３】図１に示すものの変形を示す図である。
【図４】図１に示すものの変形を示す図である。
【図５】図２に示すものの変形を示す図である。
【図６】図２に示すものの変形を示す図である。
【図７】図５および６に示すものと同じ変形であるが、別の動作段階にあるものを示す図である。
【図８】本発明による装置の実用的実施形態を示す図である。
【図９】図８の矢印F9の向きに見た図である。
【図１０】図９の線X−Xに沿う断面図である。
【図１１】図９の線XＩ−XＩに沿う断面図である。
【図１２】図９の線XII−XIIに沿う断面図である。
【図１３】図９の線XIII−XIIIに沿う断面図である。
【符号の説明】
【００８２】
1  本発明の装置
2  主流路
3  供給管
4  処理タンク
5  処理剤
6  管
7  4の入口
8  弁
9  排出管
10  管
11  4の出口
12  第一の遮断弁
13  調節器
14  第二の遮断弁
15  管
16  下水設備
17  弁
18  分流路
19  遮断弁
20  第二の分流路
21  遮断弁
22  バイパス
23  弁
24  体積計
25  伝動装置
26  プログラムディスク
27  制御回路
28  第三の分流路
29  遮断弁
30  弁
31  食塩水管
32  弁
33  放出器
34  食塩水溜め
35  制御回路
36  制御回路
37  1の主要部分
38  ハウジング
39  圧縮ばね
40  29の閉鎖側
41  ホルダー
42  調節ねじ
43  円筒形通路
44  玉
45  シール
46  8の本体
47  46の閉鎖側
48  ロッド
49  46の背面側
50  圧縮ばね
51  圧力管
52  46のくぼみ
53  52の側壁
54  シーリング
55  閉鎖側
56  小さな流路
S1  サーボ弁
S2  サーボ弁
【図１】
2008523985.tif 000003
【図２】
2008523985.tif 000004
【図３】
2008523985.tif 000005
【図４】
2008523985.tif 000006
【図５】
2008523985.tif 000007
【図６】
2008523985.tif 000008
【図７】
2008523985.tif 000009
【図８】
2008523985.tif 000010
【図９】
2008523985.tif 000011
【図１０】
2008523985.tif 000012
【図１１】
2008523985.tif 000013
【図１２】
2008523985.tif 000014
【図１３】
2008523985.tif 000015
【国際調査報告】
2008523985.tif 000016
2008523985.tif 000017
2008523985.tif 000018